(57)【要約】【課題】ドライブ装置へのシート体の挿入を回避し得る情報記録媒体を提供する。【解決手段】テープ状記録媒体Ｔが巻回されたテープリール１２を回転可能に収納するテープカートリッジ２と、テープカートリッジ２を収納する収納ケース３と、テープカートリッジ２と共に収納ケース３に収納されるシート体４とを備え、シート体４は、展開した状態の大きさが収納ケース３に収納可能な大きさに形成されると共に、折り曲げラインＬで折り曲げられた状態で収納ケース３に収納されている。【選択図】図１
2006306417.tif 000002
【特許請求の範囲】
【請求項１】
テープ状記録媒体が巻回されたテープリールを回転可能に収納するテープカートリッジと、当該テープカートリッジを収納する収納ケースと、前記テープカートリッジと共に前記収納ケースに収納されるシート体とを備え、
前記シート体は、展開した状態の大きさが前記収納ケースに収納可能な大きさに形成されると共に、折り曲げラインで折り曲げられた状態で前記収納ケースに収納されている情報記録媒体。
【請求項２】
前記シート体の前記折り曲げライン上にミシン目が形成されている請求項１記載の情報記録媒体。
【請求項３】
前記シート体は、前記折り曲げラインで折り曲げられた折曲部に対して当該折り曲げラインが前記テープカートリッジのドライブ装置への挿入方向手前側に位置するように二つ折りの状態で前記収納ケースに収納されている請求項１または２記載の情報記録媒体。
【請求項４】
前記シート体は、２つの前記折り曲げラインで折り曲げられた三つ折り状態で前記収納ケースに収納されている請求項１または２記載の情報記録媒体。
【請求項５】
前記シート体は、前記各折り曲げラインで折り曲げられた各折曲部の一部同士が重なり合った状態で前記収納ケースに収納されている請求項４記載の情報記録媒体。
【発明の詳細な説明】
【技術分野】
【０００１】
本発明は、テープ状記録媒体が巻回されたテープリールを回転可能に収納するテープカートリッジと、テープカートリッジを収納する収納ケースと、テープカートリッジと共に収納ケースに収納されるシート体とを備えた情報記録媒体に関するものである。
【背景技術】
【０００２】
この種の情報記録媒体として、特開平９−１６１４４６号公報に開示された情報記録媒体が知られている。この情報記録媒体は、例えば電子計算機の主記録媒体に記録された記録データのバックアップメディアとして使用される１リールタイプのカートリッジ式記録媒体（以下、「テープカートリッジ」ともいう）と、このテープカートリッジを収納する収納ケースとを備えている。この場合、テープカートリッジは平面視形状がほぼ四角形の扁平な直方体に形成されている。収納ケースは、透明な樹脂材料で形成された収納ケース本体、蓋体および連結部を備え、収納ケース本体と蓋体とが連結部にそれぞれ折り曲げ可能に連結されて構成されている。また、収納ケースは、テープカートリッジをできる限りがたつかない状態で収納するように、収納ケース本体および蓋体の平面視形状がテープカートリッジよりも若干大きい四角形にそれぞれ形成されている。
【０００３】
さらに、この情報記録媒体では、商品名、使用説明および製造元などが印刷された紙製シートやテープカートリッジに貼り付けて使用する剥離紙製のラベルシートなどのシート体が、テープカートリッジと共に収納ケースに収納されている。この場合、シート体は、その平面形状がカートリッジケースの平面形状よりも大きいために、そのままの状態で収納ケースに入らないときには、二つ折り、または三つ折りにして収納ケースに収納される。一方、シート体は、その平面形状がカートリッジケースの平面形状よりも小さいときには、そのままの状態で折らずに収納ケースに収納される。また、一般的な収納ケースでは、上記公報に開示されている収納ケースとは異なり、その収納ケース本体にはカートリッジケースの裏面中央に露出するテープリールの駆動用係合歯部と噛合する環状歯部は形成されていない。このため、この構成の収納ケースを備えた情報記録媒体では、カートリッジケースの上面側および裏面側のいずれか一方または双方にシート体が配設されている。
【特許文献１】特開平９−１６１４４６号公報（第３頁、第１図）
【発明の開示】
【発明が解決しようとする課題】
【０００４】
ところが、上記の情報記録媒体には、以下の解決すべき課題がある。すなわち、この情報記録媒体では、搬送中に振動が加わることに起因して、収納ケース内においてテープカートリッジとシート体とが擦れて静電気が発生し、この発生した静電気によってテープカートリッジにシート体が付着することがある。このため、この情報記録媒体には、テープカートリッジの裏面にシート体が付着している場合、その付着を確認し難いために、収納ケースからテープカートリッジを取り出した際に、ユーザーがシート体の存在に気付かずに、テープカートリッジと共にシート体をドライブ装置に挿入してしまうという事態が発生するおそれがある。したがって、このような事態が生じたときにはシート体の挿入に起因してドライブ装置が正常に作動しないこともあるため、これを改善するのが好ましい。
【０００５】
本発明は、かかる課題を解決すべくなされたものであり、ドライブ装置へのシート体の挿入を回避し得る情報記録媒体を提供することを主目的とする。
【課題を解決するための手段】
【０００６】
上記目的を達成すべく本発明に係る情報記録媒体は、テープ状記録媒体が巻回されたテープリールを回転可能に収納するテープカートリッジと、当該テープカートリッジを収納する収納ケースと、前記テープカートリッジと共に前記収納ケースに収納されるシート体とを備え、前記シート体は、展開した状態の大きさが前記収納ケースに収納可能な大きさに形成されると共に、折り曲げラインで折り曲げられた状態で前記収納ケースに収納されている。
【０００７】
この場合、前記シート体の前記折り曲げライン上にミシン目を形成することができる。
【０００８】
また、前記折り曲げラインで折り曲げられた折曲部に対して当該折り曲げラインが前記テープカートリッジのドライブ装置への挿入方向手前側に位置するように二つ折りの状態で前記シート体を前記収納ケースに収納することができる。
【０００９】
また、２つの前記折り曲げラインで折り曲げられた三つ折り状態で前記シート体を前記収納ケースに収納することができる。
【００１０】
さらに、前記各折り曲げラインで折り曲げられた各折曲部の一部同士が重なり合った状態で前記シート体を前記収納ケースに収納することができる。
【発明の効果】
【００１１】
本発明に係る情報記録媒体では、展開した状態の大きさが収納ケースに収納可能な大きさのシート体を折り曲げラインで折り曲げた状態で収納ケースに収納しているため、テープカートリッジを収納ケースから取り出した場合、シート体がテープカートリッジの下面に静電気によって付着していたとしても、シート体が折り曲げられてシート体とテープカートリッジとの接触面積が低下しており、しかも、テープカートリッジの下面に接触していない折曲部があるためにシート体におけるテープカートリッジと接触している部位に加わる力がアンバランスになっている。このため、ドライブ装置の挿入口からその内部に挿入する場合、シート体が自重でテープカートリッジから剥がれ易い状態になっている。また、その下面にシート体が付着したままの状態でテープカートリッジをドライブ装置に挿入しようとしたとしても、シート体の折曲部が自重で下方に垂れ下がることになる。このため、この情報記録媒体では、テープカートリッジをドライブ装置の挿入口に挿入しているときに、シート体の折曲部がドライブ装置のフロントパネルに当接して、その際に、フロントパネルから挿入方向とは逆向きの力がシート体の折曲部に加わることとなる。この結果、シート体は、フロントパネルから受ける力によってテープカートリッジの下面から離反させられて落下する。したがって、この情報記録媒体によれば、ドライブ装置へのシート体の挿入を確実に防止することができる。
【００１２】
また、本発明に係る情報記録媒体によれば、シート体の折り曲げライン上にミシン目を形成したことにより、折り曲げラインに沿って折り曲げる作業を効率よく行うことができる。また、ミシン目が存在するため、ミシン目のないシート体と比較して、折り曲げ部分の強度を弱めることができる。このため、シート体がテープカートリッジの下面に静電気によって付着した状態において、折曲部を確実に垂れ下がった状態に移行させることができる。したがって、ドライブ装置へのシート体の挿入を一層確実に防止することができる。
【００１３】
また、本発明に係る情報記録媒体によれば、折り曲げラインで折り曲げられた折曲部に対して折り曲げラインがテープカートリッジのドライブ装置への挿入方向の手前側に位置するように二つ折りの状態でシート体を収納ケースに収納したことにより、静電気によって下面にシート体が付着した状態のテープカートリッジをドライブ装置の挿入口に挿入しようとしたときに、折曲部の先端部分をドライブ装置のフロントパネルにおける挿入口の口縁に当接させることができる。したがって、フロントパネルから受ける力によって折曲部を一層垂れ下がらせることができるため、ドライブ装置へのシート体の挿入を一層確実に防止することができる。
【００１４】
さらに、本発明に係る情報記録媒体によれば、２つの折り曲げラインで折り曲げられた三つ折り状態でシート体を収納ケースに収納したことにより、上記の二つ折りの構成と同様にして、ドライブ装置へのシート体の挿入を確実に防止することができる。
【００１５】
また、本発明に係る情報記録媒体では、各折り曲げラインで折り曲げられた各折曲部の一部同士が重なり合った状態でシート体を収納ケースに収納したことにより、シート体がテープカートリッジの下面に静電気によって付着した状態において、付着している部分のシート体側（上側）に位置する折曲部の下側に垂れ下がろうとする力によって下側に位置する折曲部の先端部を押し下げることができる。したがって、この情報記録媒体によれば、折曲部が一層垂れ下がるため、ドライブ装置へのシート体の挿入を一層確実に防止することができる。
【発明を実施するための最良の形態】
【００１６】
以下、本発明に係る情報記録媒体の最良の形態について、添付図面を参照して説明する。
【００１７】
最初に、情報記録媒体１の構成について、図面を参照して説明する。
【００１８】
図１に示す情報記録媒体１は、例えば、電子計算機に記録された記録データをバックアップするためのストレージデバイスとして使用される１リールタイプのカートリッジ式の情報記録媒体であって、同図に示すように、テープカートリッジ２、収納ケース３およびシート体４を備えて構成されている。なお、収納ケース３に収納されるシート体としては、展開した状態（折り曲げ前の状態）では大き過ぎて収納ケース３に入らないために二つ折り（または三つ折り）にした状態で収納されるものもあるが、発明の理解を容易にするため、本例では、その平面形状がカートリッジケース２の平面形状よりも小さく、展開した状態であっても、つまり折らない状態であっても、収納ケース３に収納し得るシート体４のみを収納ケース３に収納する例について説明する。
【００１９】
テープカートリッジ２は、図１に示すように、カートリッジケース本体１１およびテープリール１２を備えるほか、図示しないブレーキ解除板、ロック部材、ブレーキスプリングおよびドア部材などを備えて構成されている。この場合、カートリッジケース本体１１は、それぞれ浅皿状に形成されて互いに嵌合される下ケース１３および上ケース１４で構成されると共に、下ケース１３および上ケース１４間に形成される内部空間に磁気テープＴ（本発明におけるテープ状記録媒体）が巻回されたテープリール１２を回転可能に収納する。また、カートリッジケース本体１１の内部空間には、ブレーキ解除板、ロック部材およびブレーキスプリングなどが配設されている。また、カートリッジケース本体１１の側壁には、磁気テープをカートリッジケース本体１１の外部に引き出すためのテープ引き出し口（図示せず）が形成され、ドア部材はこのテープ引き出し口を開閉し得るようにカートリッジケース本体１１に配設されている。また、上ケース１４の上面には、ドライブ装置へのテープカートリッジ２の挿入方向Ａを示すマーク（三角マーク）１４ａが形成されている。
【００２０】
収納ケース３は、図１に示すように、一例として透明な樹脂材料で一体的に形成された収納ケース本体１５および蓋体１６を備えて構成されている。収納ケース本体１５は、その平面視形状がテープカートリッジ２の平面視形状よりも若干大きな四角形に形成された底壁（収納ケース３の底壁を構成する）１５ａ、底壁１５ａの４辺にそれぞれ立設された前壁１５ｂ、側壁１５ｃ，１５ｄ、および後壁１５ｅを備えている。この場合、前壁１５ｂおよび側壁１５ｃ，１５ｄは、底壁１５ａの各辺から若干内側に位置する部位にそれぞれ立設されている。蓋体１６は、収納ケース本体１５の各壁１５ｂ，１５ｃ，１５ｄ，１５ｅのうちの最も高い後壁１５ｅの上端縁にヒンジ結合された上壁（収納ケース３の上壁を構成する）１６ａ、上壁１６ａの３辺にそれぞれ立設された前壁１６ｂ（収納ケース３の前壁を構成する）、および側壁１６ｃ，１６ｄ（収納ケース３の側壁をそれぞれ構成する）を備えている。この場合、上壁１６ａは、底壁１５ａとほぼ同じ大きさでかつ同じ形状となるように形成されている。また、上壁１６ａおよび後壁１５ｅは、一例として、上壁１６ａと後壁１５ｅとの連結部位が薄肉化されてヒンジ結合されている。前壁１６ｂ、および側壁１６ｃ，１６ｄは、後壁１５ｅとほぼ同じ高さに形成されると共に、前壁１６ｂは各側壁１６ｃ，１６ｄに連結されている。以上の構成により、蓋体１６を収納ケース本体１５上に被せたときには、蓋体１６の前壁１６ｂおよび側壁１６ｃ，１６ｄが収納ケース本体１５の前壁１５ｂおよび側壁１５ｃ，１５ｄの外側にそれぞれ位置し、かつ前壁１６ｂおよび側壁１６ｃ，１６ｄの上端縁が収納ケース本体１５の底壁１５ａの表面に接触する。これにより、収納ケース本体１５の底壁１５ａおよび後壁１５ｅと、蓋体１６の上壁１６ａおよび各側壁１６ｃ，１６ｄとにより、テープカートリッジ２およびシート体４用の収納空間が収納ケース３に形成される。
【００２１】
シート体４は、図１に示すように、展開した状態（実線および破線で示す状態）で平面視したときの大きさ（外形）が、カートリッジケースよりも小さい所定形状（一例として四角形）に形成されている。また、シート体４には対向する一対の辺と平行な折り曲げラインＬ上にミシン目４ａが形成され、シート体４は、このミシン目４ａで二つ折りされている（実線のみで示す状態）。また、シート体４は、図１，２に示すように、折り曲げラインＬで折り曲げられた折曲部４ｂに対して折り曲げラインＬがテープカートリッジ２のドライブ装置２０への挿入方向Ａの手前側に位置するように二つ折りの状態（図１では実線のみで示す状態）で収納ケース３に収納されている。具体的には、一例として、このシート体４は、ミシン目４ａ（折り曲げラインＬ）が挿入方向Ａに対してほぼ直角になるようにしてテープカートリッジ２の下面に添えられて、かつテープカートリッジ２と共に底壁１５ａ上に載置された状態で、収納ケース３内に収納されている。
【００２２】
このように、この情報記録媒体１では、展開した状態の大きさが収納ケース３に収納可能な大きさのシート体４が折り曲げラインＬで折り曲げられて（二つ折りされて）収納ケース３に収納されている。したがって、テープカートリッジ２を収納ケース３から取り出した場合、シート体４がテープカートリッジ２の下面に静電気によって付着していたとしても、シート体４が折り曲げられてシート体４とテープカートリッジ２との接触面積が低下しており、しかも、テープカートリッジ２の下面に接触していない部位（折曲部４ｂ）があるためにシート体４におけるテープカートリッジ２と接触しているシート本体部位４ｃに加わる力がアンバランスになっている。このため、図２に示すように、ドライブ装置２０のフロントパネル２１に開口されている挿入口２２からドライブ装置２０内部に挿入する場合、シート体４が自重でテープカートリッジ２から剥がれ易い状態になっている。また、その下面にシート体４が付着したままの状態でテープカートリッジ２をドライブ装置２０に挿入しようとしたとしても、同図に示すように、シート体４の折曲部４ｂが自重で下方に垂れ下がることになる。このため、この情報記録媒体１では、図３に示すように、テープカートリッジ２を挿入口２２に挿入しているときに、シート体４の折曲部４ｂがフロントパネル２１に当接して、その際に、フロントパネル２１から挿入方向Ａとは逆向きの力が折曲部４ｂ（シート体４）に加わることとなる。この結果、シート体４は、フロントパネル２１から受ける力によってテープカートリッジ２の下面から離反させられて落下する。
【００２３】
このように、この情報記録媒体１によれば、展開した状態の大きさが収納ケース３に収納可能な大きさのシート体４を折り曲げラインＬで折り曲げて収納ケース３に収納したことにより、ドライブ装置２０へのシート体４の挿入を確実に防止することができる。
【００２４】
また、この情報記録媒体１によれば、シート体４の折り曲げラインＬ上にミシン目４ａを形成したことにより、折り曲げラインＬに沿って折り曲げる作業を効率よく行うことができる。また、ミシン目４ａが存在するため、ミシン目４ａのないシート体と比較して、折り曲げ部分の強度を弱めることができる。このため、シート体４がテープカートリッジ２の下面に静電気によって付着した状態において、折曲部４ｂを確実に垂れ下がった状態に移行させることができる。したがって、ドライブ装置２０へのシート体４の挿入を一層確実に防止することができる。なお、折り曲げ易い材質でシート体を形成する場合には、折り曲げラインＬ上にミシン目４ａを形成しない構成を採用することもできる。
【００２５】
さらに、折り曲げラインＬで折り曲げられた折曲部４ｂに対して折り曲げラインＬがテープカートリッジ２のドライブ装置２０への挿入方向Ａの手前側に位置するように二つ折りの状態でシート体４を収納ケース３に収納したことにより、静電気によって下面にシート体４が付着した状態のテープカートリッジ２をドライブ装置２０の挿入口２２に挿入しようとしたときに、折曲部４ｂの先端部分（挿入方向Ａ側の先端部分）をフロントパネル２１における挿入口２２の口縁に当接させることができる。したがって、フロントパネル２１から受ける力によって折曲部４ｂを一層垂れ下がらせることができるため、ドライブ装置２０へのシート体４の挿入を一層確実に防止することができる。
【００２６】
なお、本発明は、上記の構成に限定されない。例えば、上記した理由により、折曲部４ｂに対して折り曲げラインＬが挿入方向Ａの手前側に位置するようにシート体４を収納ケース３に収納するのが好ましいが、これとは逆向きの状態、つまり折曲部４ｂがミシン目４ａ（折り曲げライン）に対して挿入方向Ａの手前側に位置する状態でシート体４を収納ケース３に収納する構成を採用することもできる。この構成においても、図４に示すように、静電気によって下面にシート体４が付着した状態のテープカートリッジ２をドライブ装置２０に挿入しようとしたときに、垂れ下がった折曲部４ｂがドライブ装置２０のフロントパネル２１における挿入口２２の口縁に当接する。したがって、ドライブ装置２０へのシート体４の挿入を確実に防止することができる。
【００２７】
また、上記構成ではシート体４を二つ折りにしたが、図５に示すように、シート体４を三つ折りにして収納ケース３に収納することもできる。この構成であっても、上記した二つ折りの構成と同様にして、ドライブ装置２０へのシート体４の挿入を確実に防止することができる。また、同様にして、二つの折り曲げラインＬ上にミシン目４ａをそれぞれ形成するのが好ましい。また、ミシン目４ａ（折り曲げラインＬ）を介して中央のシート本体部位（テープカートリッジ２と接触する部位）４ｃにそれぞれ連結された各折曲部４ｂ，４ｄ同士を互いに重ならないように折ってもよいが、同図に示すように、先端部（本発明における各折曲部の一部）同士を互いに重なり合わせるのがより好ましい。このように、各折曲部４ｂ，４ｄ同士を重なり合わせることで、図６に示すように、シート体４がテープカートリッジ２の下面に静電気によって付着した状態において、シート本体部位４ｃ側（上側）に位置する折曲部４ｄの下側に垂れ下がろうとする力によって下側に位置する折曲部４ｂの先端部を押し下げることができる。したがって、折曲部４ｂが一層垂れ下がるため、ドライブ装置２０へのシート体４の挿入を一層確実に防止することができる。また、三つ折りにしたシート体４については、テープカートリッジ２に付着した状態において、図６に示すように、折曲部４ｂ側のミシン目４ａが折曲部４ｄ側のミシン目４ａよりもテープカートリッジ２における挿入方向Ａ奥側に位置するように、収納ケース３に収納してもよいし、逆に、図７に示すように、下側に位置する折曲部４ｄ側のミシン目４ａが折曲部４ｂ側のミシン目４ａよりも挿入方向Ａの手前側に位置する状態で収納ケース３に収納させることもできる。
【００２８】
また、上記構成では、図３に示すように、シート体４がテープカートリッジ２の下面に付着した状態において、シート体４に形成されたミシン目４ａ（折り曲げラインＬ）が挿入方向Ａに対してほぼ直角になる状態でシート体４を収納ケース３に収納させているが、これに限定されない。例えば、図８に示すように、テープカートリッジ２の下面にシート体４が付着した状態においてミシン目４ａ（折り曲げラインＬ）が挿入方向Ａとほぼ平行になる状態でシート体４を収納ケース３に収納させることもできる。
【００２９】
また、上記構成では、四角形のシート体４を、その一対の辺と平行な折り曲げラインＬで折り曲げているが、折り曲げ方向についてもこれに限定されない。例えば、少なくとも１つの角部（隅部）を折り曲げる構成を採用することもできる。また、上記したシート体４を三つ折りにする構成では、シート本体部位４ｃがテープカートリッジ２の下面に接触する状態で収納ケース３に収納させているが、逆に、各折曲部４ｂ，４ｄがテープカートリッジ２側に向く状態で収納ケース３に収納することもできる。また、二つ折り、三つ折りに代えて、シート体４を４つ折り以上に折り曲げて収納ケース３に収納する構成を採用することもできる。
【図面の簡単な説明】
【００３０】
【図１】情報記録媒体１の構成を示す斜視図である。
【図２】二つ折りされたシート体４がテープカートリッジ２に付着している状態を示す側面図である。
【図３】図２に示すテープカートリッジ２をドライブ装置２０に挿入している状態を、テープカートリッジ２の下面側から見た底面図である。
【図４】テープカートリッジ２にシート体４が図２に示すシート体４とは逆向きで付着している状態を示す側面図である。
【図５】シート体４を三つ折りにした状態を示す斜視図である。
【図６】三つ折りされたシート体４がテープカートリッジ２に付着している状態を示す側面図である。
【図７】テープカートリッジ２にシート体４が図６に示すシート体４とは逆向きで付着している状態を示す側面図である。
【図８】ミシン目４ａが挿入方向Ａとほぼ平行な状態でシート体４がテープカートリッジ２に付着している状態をテープカートリッジ２の下面側から見た底面図である。
【符号の説明】
【００３１】
１  情報記録媒体
２  テープカートリッジ
３  収納ケース
４  シート体
４ａ  ミシン目
４ｂ，４ｄ  折曲部
１２  テープリール
Ｌ  折り曲げライン
【図１】
2006306417.tif 000003
【図２】
2006306417.tif 000004
【図３】
2006306417.tif 000005
【図４】
2006306417.tif 000006
【図５】
2006306417.tif 000007
【図６】
2006306417.tif 000008
【図７】
2006306417.tif 000009
【図８】
2006306417.tif 000010